(57)【特許請求の範囲】
【請求項１】
主フレームと、２つの細長い接続デバイスとを備えるドライバー掛け組立体であって、
該主フレームは
該主フレームに貫通形成された吊り下げ穴と、
互いに平行な２つの細長いトラック溝であって、該各トラック溝は２つの細長い縁部と、底部と、該２つの縁部にそれぞれ一体に接続された互いに平行な２つの細長い細片と、該底部に貫通形成された位置決め孔とを有する２つの細長いトラック溝と
を有し、
該２つの細長い接続デバイスは
該２つのトラック溝にそれぞれ接続されて第１接続デバイスと第２接続デバイスとをなし、該各接続デバイスは
対応する該トラック溝に固定装着されたベースプレートと、
複数のブラケットと、
複数の塊部と
を有し、
該ベースプレートは
該対応するトラック溝と同じ長さと、
該対応するトラック溝の該底部に当接する当接面と、
該当接面と反対側の、該対応するトラック溝の該２つの細片と当接する接続面と、
該当接面に固定装着されこの面から突出したボタンであって、該対応するトラック溝の該位置決め孔に装着され係合するボタンと
を有し、
該複数のブラケットは該接続面上に一定間隔で固定装着され、該各ブラケットは
該ブラケットに貫通形成され該接続面に近接した細長い孔と、
該ブラケットに貫通形成され該細長い孔と連通し直径を有する第１軸孔と、
該ブラケットに貫通形成され該第１軸孔と連通し該第１軸孔と異なる直径を有する第２軸孔と、
該接続面と反対側の該ブラケットの端面に該ブラケットを貫通して形成され該第２軸孔と連通するブラケット開口と
をこの並びで有し、該各ブラケットの該細長い孔と該第１軸孔と該第２軸孔と該ブラケット開口とは直線に沿って配列され、
該複数の塊部は該接続面上で該ブラケット間に一定間隔で固定装着され、該第１接続デバイスの該各塊部は該第２接続デバイスの１つの該ブラケットと整列し、該第１接続デバイスの該各ブラケットは該第２接続デバイスの１つの該塊部と整列している、ドライバー掛け組立体。
【請求項２】
前記各ブラケットは該ブラケットに貫通形成され前記第１軸孔と前記第２軸孔の間に位置してこれらと連通し、該第１軸孔及び第２軸孔の直径より短い幅を有する延長孔を更に有し、該第１軸孔の直径は該第２軸孔の直径より小さい請求項１に記載のドライバー掛け組立体。
【請求項３】
主フレームと、２つの細長い接続デバイスとを備えるドライバー掛け組立体であって、
該主フレームは
該主フレームに貫通形成された吊り下げ穴と、
互いに平行な２つの細長いトラック溝であって、該各トラック溝は２つの細長い縁部と、底部と、該２つの縁部にそれぞれ一体に接続された互いに平行な２つの細長い細片と、該底部に貫通形成された位置決め孔とを有する２つの細長いトラック溝と
を有し、
該２つの細長い接続デバイスは
該２つのトラック溝にそれぞれ接続されて第１接続デバイスと第２接続デバイスとをなし、該各接続デバイスは
対応する該トラック溝に固定装着されたベースプレートと、
複数のブラケットと、
複数の空間と
を有し、
該ベースプレートは
該対応するトラック溝と同じ長さと、
該対応するトラック溝の該底部に当接する当接面と、
該当接面と反対側の、該対応するトラック溝の該２つの細片と当接する接続面と、
該当接面に固定装着されこの面から突出したボタンであって、該対応するトラック溝の該位置決め孔に装着され係合するボタンと
を有し、
該複数のブラケットは該接続面上に一定間隔で固定装着され、該各ブラケットは
該ブラケットに貫通形成され中央部分を有する細長いスロットと、
該スロットの該中央部分において該ブラケットに貫通形成され該スロットと連通し、円形の断面を有する貫通孔と
を有し、
該複数の空間は該ブラケット間に一定間隔で形成され、該第１接続デバイスの該各空間は該第２接続デバイスの１つの該ブラケットと整列し、該第１接続デバイスの該各ブラケットは該第２接続デバイスの１つの該空間と整列している、ドライバー掛け組立体。
【発明の詳細な説明】
【技術分野】
【０００１】
本発明はドライバー掛け組立体、特に、組み立て時間を節減することが出来るドライバー掛け組立体に関する。
【背景技術】
【０００２】
従来の工具掛け組立体は、主フレームと複数の接続デバイスとを有する。この主フレームには互いに平行な２つのトラック溝が形成されている。接続デバイスは該トラック溝にスライド可能に装着される。各接続デバイスからドライバーを保持できるブラケットが突出している。
【発明の概要】
【発明が解決しようとする課題】
【０００３】
しかし、接続デバイスを主フレームに１つずつ取り付ける必要があるので、複数の接続デバイスを主フレームに組み込むことは、時間が掛かり、製造コストを増加させるので、問題がある。
【０００４】
この欠点を克服するために、本発明は上記問題を軽減するドライバー掛け組立体を提供するであろう。
【課題を解決するための手段】
【０００５】
本発明の主目的は、組み立て時間を節減することが出来るドライバー掛け組立体を提供することである。
【０００６】
本ドライバー掛け組立体は主フレームと、２つの接続デバイスとを備える。該主フレームには互いに平行な２つのトラック溝が形成されている。該２つの接続デバイスは該２つのトラック溝にそれぞれ接続される。該各接続デバイスは複数のドライバーを保持するための複数のブラケットを有する。複数のブラケットを有する接続デバイスを主フレームと結合するのは容易であるので、接続デバイスを主フレームと一体に組み立てるのは速く、製造コストを低減し、複数のドライバーを保持するのに便利である。
【０００７】
本発明の他の目的、利点、及び新規の特徴は、下記の詳細な説明と添付の図面からより明らかとなるであろう。
【図面の簡単な説明】
【０００８】
【図１】本発明に係るドライバー掛け組立体の第１の実施形態の斜視図である。
【図２】図１のドライバー掛け組立体の一部展開斜視図である。
【図３】図１のドライバー掛け組立体の前面図である。
【図４】図１のドライバー掛け組立体の左側面図である。
【図５】図３の５‐５線に沿ったドライバー掛け組立体の拡大断面図である。
【図６】ドライバーを保持している図５のドライバー掛け組立体の作用図である。
【図７】ドライバー掛け組立体からドライバーを取り外していることを示す図６のドライバー掛け組立体の作用図である。
【図８】ドライバーの軸が第２軸孔に入れられる時の図１のドライバー掛け組立体の拡大作用側断面図である。
【図９】ドライバーの軸が第１軸孔に入れられる時の図１のドライバー掛け組立体の拡大作用側断面図である。
【図１０】複数のドライバーを保持している時の図１のドライバー掛け組立体の作用前面図である。
【図１１】本発明に係るドライバー掛け組立体の第２の実施形態の斜視図である。
【図１２】図１１のドライバー掛け組立体の左側面図である。
【図１３】図１１のドライバー掛け組立体の拡大側断面図である。
【図１４】複数のドライバーを保持している時の図１１のドライバー掛け組立体の作用前面図である。
【図１５】ドライバーがブラケットに挿入されようとしているところを示す図１１のドライバー掛け組立体の作用断面図である。
【図１６】ドライバーを保持していることを示す図１５のドライバー掛け組立体の作用断面図である。
【図１７】ドライバーがブラケットに挿入されようとしているところを示す図１１のドライバー掛け組立体の作用断面図である。
【図１８】ドライバーを保持していることを示す図１５のドライバー掛け組立体の作用断面図である。
【発明を実施するための形態】
【０００９】
図１及び図２を参照すると、本発明に係るドライバー掛け組立体の第１の実施形態は、主フレーム１０と２つの接続デバイス２０とを備える。
【００１０】
図１、図２、及び図５を参照すると、主フレーム１０は主プレート１１と吊り下げプレート１２とを有する。主プレート１１は矩形断面を有し、２つのトラック溝１１１を有する。２つのトラック溝１１１は縦方向に細長く、互いに平行である。各トラック溝１１１は２つの縁部と、底部と、２つの対向する内面と、２つの細片１１１１と、位置決め孔１１１２とを有する。各トラック溝１１１の該縁部は縦方向に細長い。各トラック溝１１１の２つの内面間の距離を第１幅Ａと定義する。
【００１１】
各トラック溝１１１の２つの細片１１１１は縦方向に細長く、互いに平行で、トラック溝１１１の２つの縁部とそれぞれ一体に接続されている。各トラック溝１１１の２つの細片１１１１間の距離を第２幅Ｂと定義する。第２幅Ｂは第１幅Ａより短い。
【００１２】
各トラック溝１１１の位置決め孔１１１２はトラック溝１１１の底部に貫通形成され、主プレート１１の底に近接している。
【００１３】
吊り下げプレート１２は主プレート１１の上部に留め具により固定装着され、吊り下げプレート１２には吊り下げ穴１２１が貫通形成されている。吊り下げ穴１２１を用いて、本ドライバー掛け組立体を吊り下げたり運ぶことが出来る。
【００１４】
図３〜図５を参照すると、２つの接続デバイス２０は２つのトラック溝１１１に接続され、それぞれ第１接続デバイス２０Ａと第２接続デバイス２０Ｂとになる。各接続デバイス２０は細長く、ベースプレート２１、複数のブラケット２２、及び複数の塊部２３を有する。
【００１５】
各接続デバイス２０のベースプレート２１は対応するトラック溝１１１に固定装着され、長さ、当接面２１１、接続面２１２、及びボタン２１３を有する。ベースプレート２１の長さはトラック溝１１１と同じである。ベースプレート２１の当接面２１１はトラック溝１１１の底部に当接する。ベースプレート２１の接続面２１２は当接面２１１と反対側であり、トラック溝１１１の２つの細片１１１１に当接する。第２幅Ｂは第１幅Ａより短いので、細片１１１１はベースプレート２１が主フレーム１０から外れるのを防ぐ。ベースプレート２１のボタン２１３は当接面２１１に固定装着され、当接面２１１から突出している。トラック溝１１１の位置決め孔１１１２に装着され係合する。
【００１６】
図８及び図９を参照すると、各接続デバイス２０の複数のブラケット２２は、接続デバイス２０の接続面２１２上に一定間隔で固定装着されている。各ブラケット２２には細長い孔２２１、第１軸孔２２２、第２軸孔２２３、及びブラケット開口２２４がこの並びで形成されている。
【００１７】
各ブラケット２２の細長い孔２２１は、ブラケット２２に貫通形成され、接続面２１２に近接している。
【００１８】
各ブラケット２２の第１軸孔２２２は、ブラケット２２に貫通形成され、細長い孔２２１と連通し、直径を有する。
【００１９】
各ブラケット２２の第２軸孔２２３は、ブラケット２２に貫通形成され、第１軸孔２２２と連通し、第１軸孔２２２と異なる直径を有する。第１軸孔２２２の直径は第２軸孔２２３の直径より小さいのが好ましい。
【００２０】
各ブラケット２２のブラケット開口２２４は、対応する接続面２１２と反対側のブラケット２２の端面にブラケット２２を貫通して形成され、第２軸孔２２３と連通する。各ブラケット２２の細長い孔２２１、第１軸孔２２２、第２軸孔２２３、及びブラケット開口２２４は直線に沿って配列されている。
【００２１】
好ましくは、各ブラケット２２はブラケット２２に貫通形成され、第１軸孔２２２と第２軸孔２２３の間に位置しこれらと連通する延長孔２２５を更に有する。この延長孔２２５の幅は第１軸孔２２２及び第２軸孔２２３の直径より短い。
【００２２】
各接続デバイス２０の塊部２３は、接続デバイス２０の接続面２１２上のブラケット２２間に一定間隔で固定装着されている。各塊部２３は矩形の断面を有する。第１接続デバイス２０Ａの各塊部２３は第２接続デバイス２０Ｂの１つのブラケット２２と整列し、第１接続デバイス２０Ａの各ブラケット２２は、第２接続デバイス２０Ｂの１つの塊部２３と整列している。
【００２３】
組み立て時、ベースプレート２１はトラック溝１１１内にスライドして入れられる。ボタン２１３を位置決め孔１１１２に装着し係合させると、接続デバイス２０はしっかりと結合され、主フレーム１０から落ちることがない。従って、複数のブラケット２２を有する接続デバイス２０を主フレーム１０と結合するのは容易で速く、製造コストが低減される。
【００２４】
図８を参照すると、ドライバーＳの軸Ｓ１（断面を有す）がブラケット開口２２４から挿入されてブラケット２２を押し広げ、第２軸孔２２３内に配置される。同様に、図９を参照すると、ドライバーＳの軸Ｓ２（異なる断面を有す）がブラケット開口２２４から挿入され、第２軸孔２２３及び延長孔２２５を通って第１軸孔２２２内に配置される。このように、異なるサイズの軸Ｓ１、Ｓ２は第１軸孔２２２と第２軸孔２２３に選択的に入れられ、適切な配置効果が提供される。また、大きな孔２２１はブラケット開口２２４、第２軸孔２２３、延長孔２２５、及び第１軸孔２２２が広げられるのを可能にし、軸Ｓ１、Ｓ２が対応する孔２２２、２２３に入るのを可能にする。
【００２５】
図６及び図７を参照すると、ドライバーＳのグリップを上に持ち上げると、ドライバーＳの軸Ｓ１が塊部２３に当接する。従って、軸Ｓ１が塊部２３に当接する位置が支点として働き、対応する孔２２２、２２３から軸Ｓ１を取り出すのを容易にする。
【００２６】
図１０を参照すると、一方の接続デバイス２０の各ブラケット２２は、他方の接続デバイス２０の１つの塊部２３と整列し、隣接する２つのドライバーＳのグリップが互いにぶつかることがない。その結果、本発明に係るドライバー掛け組立体は複数のドライバーＳを保持できる。
【００２７】
図１１〜図１４を参照すると、ドライバー掛け組立体の第２の実施形態は、下記の点を除いて第１の実施形態とほぼ同じである。
【００２８】
ドライバー掛け組立体の第２の実施形態は、大きな孔２２１、第１軸孔２２２、第２軸孔２２３、ブラケット開口２２４、及び塊部２３を有していない。各ブラケット２２Ｃはスロット２２６Ｃと貫通孔２２７Ｃとを有する。各ブラケット２２Ｃのスロット２２６Ｃは細長く、ブラケット２２Ｃに貫通形成され、中央部分を有する。各ブラケット２２Ｃの貫通孔２２７Ｃは、スロット２２６Ｃの中央部分においてブラケット２２Ｃに貫通形成され、スロット２２６Ｃと連通し、円形の断面を有する。
【００２９】
各接続デバイス２０Ｃにはブラケット２２Ｃ間に一定間隔で複数の空間２４Ｃが形成されている。第１接続デバイスの各空間２４Ｃは、第２接続デバイスの１つのブラケット２２Ｃと整列し、第１接続デバイスの各ブラケット２２Ｃは、第２接続デバイスの１つの空間２４Ｃと整列している。
【００３０】
図１５〜図１８を参照すると、ドライバーＳの軸Ｓ１の先端が１つのスロット２２６Ｃに挿入されて、該軸Ｓ１は対応する貫通孔２２７Ｃに装入される。
【００３１】
上記の説明から、本発明は下記の利点を有すると言える。
１．迅速な組み立て：
複数のブラケット２２を有する各接続デバイス２０は、複数のドライバーＳを保持できる。複数のブラケット２２を有する接続デバイス２０を主フレーム１０と結合するのは容易であるので、接続デバイス２０を主フレーム１０と一体に組み立てるのは速く、製造コストを低減し、複数のドライバーＳを保持するのに便利である。
２．適切な配置効果：
異なるサイズの軸Ｓ１、Ｓ２を第１軸孔２２２又は第２軸孔２２３に入れることが出来るので、適切な配置効果が提供される。
３．ドライバーの取り出しが容易：
軸Ｓ１、Ｓ２が塊部２３に当接する位置が支点として働き、軸Ｓ１、Ｓ２の持ち上げ取り出しを容易にする。
４．大きな受容空間：
一方の接続デバイス２０の各ブラケット２２は、他方の接続デバイス２０の１つの塊部２３と整列し、隣接する２つのドライバーＳのグリップが互いに接触することがない。その結果、本ドライバー掛け組立体は従来の組立体より多くのドライバーＳを保持できる。
【符号の説明】
【００３２】
１０  主フレーム
２０  接続デバイス
２１  ベースプレート
２２  ブラケット
２３  塊部
１１１  トラック溝
１２１  吊り下げ穴
２１１  当接面
２１２  接続面
２１３  ボタン
２２１  細長い孔
２２２  第１軸孔
２２３  第２軸孔
２２４  ブラケット開口
１１１１  細片
１１１２  位置決め孔
【要約】
【課題】ドライバー掛け組立体を提供する。
【解決手段】本ドライバー掛け組立体は主フレームと、２つの接続デバイスとを備える。該主フレームには互いに平行な２つのトラック溝が形成されている。該２つの接続デバイスは該２つのトラック溝にそれぞれ接続される。該各接続デバイスは複数のドライバーを保持するための複数のブラケットを有する。複数のブラケットを有する接続デバイスを主フレームと結合するのは容易であるので、接続デバイスを主フレームと一体に組み立てるのは速く、製造コストを低減し、複数のドライバーを保持するのに便利である。
【選択図】図２【図１】
0005438189.tif 000002
【図２】
0005438189.tif 000003
【図３】
0005438189.tif 000004
【図４】
0005438189.tif 000005
【図５】
0005438189.tif 000006
【図６】
0005438189.tif 000007
【図７】
0005438189.tif 000008
【図８】
0005438189.tif 000009
【図９】
0005438189.tif 000010
【図１０】
0005438189.tif 000011
【図１１】
0005438189.tif 000012
【図１２】
0005438189.tif 000013
【図１３】
0005438189.tif 000014
【図１４】
0005438189.tif 000015
【図１５】
0005438189.tif 000016
【図１６】
0005438189.tif 000017
【図１７】
0005438189.tif 000018
【図１８】
0005438189.tif 000019